(57)【要約】【課題】フォークリフトのフォークに対して、運搬されるべき荷物を吊り上げるためのロープを、簡単且つ容易に掛けることが出来、また、かかるロープをスムーズに収容して、ロープを効果的に保持することの出来る、構造の簡単なアタッチメントを提供すること。【解決手段】フォークに取り付けられるアタッチメント本体（１２）と、該アタッチメント本体に固定されて、該アタッチメント本体との間に前記ロープの収容空間を形成するように上方に延び出して、水平方向に開口した開口部を形成するカバー部材（１４）と、内角が鈍角を呈する形態のＬ字の角部を回動中心として、前記アタッチメント本体に該Ｌ字の位置する平面内において自由に回動可能に取り付けられて、前期カバー部材の開口部を開閉すると共に、前記ロープの不在下においては該開口部を開放するように回動せしめられている回動部材（１６）とを有するように構成した。【選択図】図３
2010260673.tif 000002
【特許請求の範囲】
【請求項１】
フォークリフトのフォークに取り付けられて、運搬されるべき荷物を吊り上げるための吊上げ部材が収容、保持せしめられるアタッチメントにして、
前記フォークに取り付けられるアタッチメント本体と、
該アタッチメント本体に固定されて、該アタッチメント本体との間に前記吊上げ部材の収容空間を形成するように上方に延び出して、水平方向に開口した開口部を形成するカバー部材と、
内角が鈍角を呈する形態のＬ字の角部を回動中心として、前記アタッチメント本体に対し、該Ｌ字の位置する平面内において自由に回動可能に取り付けられて、前記カバー部材の開口部を開閉すると共に、前記吊上げ部材の不在下においては該開口部を開放するように回動せしめられている回動部材とを
有し、該回動部材のＬ字形状内に前記吊上げ部材が進入せしめられることにより、該回動部材を回動させて、前記カバー部材内に該吊上げ部材を収容、保持せしめ得るように構成したことを特徴とするフォークリフト用アタッチメント。
【請求項２】
前記回動部材が、前記カバー部材の吊上げ部材収容空間内に位置する作用辺部と、該カバー部材の開口部を閉鎖する閉鎖辺部とをＬ字状に連結して、構成されていると共に、該作用辺部よりも該閉鎖辺部の重さが重くされている請求項１に記載のフォークリフト用アタッチメント。
【発明の詳細な説明】
【技術分野】
【０００１】
本発明は、フォークリフト用アタッチメントに係り、特に、フォークリフトのフォークに取り付けられて、運搬されるべき荷物を吊り上げるためのロープ等の吊上げ部材が収容、保持せしめられるアタッチメントに関するものである。
【背景技術】
【０００２】
従来から、フレキシブルコンテナ、所謂フレコンと称される、袋状のバッグ等の重量のある荷物を、目的とする場所に移動させたり、トラックへの荷積み、荷降ろし、ラック棚等への積載を行なう等の運搬作業においては、そのような荷物を吊り上げるための吊上げ部材としてのロープ乃至はベルトを、フォークリフトのフォークに掛けて、かかる荷物を吊り上げ、目的とする場所へ移動したりする等の作業が行なわれているが、そのような従来の、フォークにロープ等を掛けただけの荷物の運搬作業では、ロープ等のずり落ちや外れによる荷物の落下が惹起される等の問題を内在するものであった。
【０００３】
このため、実開昭６３−９３４００号公報（特許文献１）においては、荷重受けアームと閉じアームとを、ネジリバネの付勢力を利用して、荷物からの荷重の作用の如何によって開閉せしめるようにしたフック装置が、提案されている。そして、そのようなフック装置においては、荷物から延びるロープが荷重受けアーム内に進入せしめられて、荷重が作用させられると、それにリンクした閉じアームが回動して、荷重受けアームとの間に、ロープを収容する閉鎖空間が形成され、そしてその状態において、荷物が運搬されるようになっているのであるが、荷重受けアームと閉じアームとの間の開閉作動が、ネジリバネの付勢力によって行なわれるようになっているところから、そのようなフック装置の長期に亘る使用や異常な荷重の作用等によって、ネジリバネにヘタリや損傷が生じた場合にあっては、それら荷重受けアームと閉じアームとの間の開閉作動を、最早、行ない得なくなるという問題が、内在している。
【０００４】
また、特開２０００−２２６１９５号公報（特許文献２）にあっては、サヤ式安全ロックフック装置として、Ｃ字型形状のアームの先端に、回動可能にロックプレートを取り付けて、このロックプレートが常に垂直方向に垂下した状態を保持し得るように、バネにて付勢する一方、かかるロックプレートの下端部に係合して、ロックプレートの回動を阻止するＶブロックを、シリンダ作動にて往復動させるようにした構造のものが、提案されている。しかしながら、このサヤ式安全ロックフック装置にあっても、ロックプレートの垂下状態を維持するために、バネが用いられているところから、依然として、そのようなバネのヘタリや損傷の問題が内在していることに加えて、ロックプレートの下端部にＶブロックを係合させるために、油圧を用いたシリンダ機構が採用されているために、装置が極めて高価となると共に、構造が複雑となり、また、そのようなシリンダ機構に故障が生じたり、作動不良が生じたりすると、その使用が全く出来なくなるという問題も、内在している。
【先行技術文献】
【特許文献】
【０００５】
【特許文献１】実開昭６３−９３４００号公報
【特許文献２】特開２０００−２２６１９５号公報
【発明の概要】
【発明が解決しようとする課題】
【０００６】
ここにおいて、本発明は、かかる事情を背景にして為されたものであって、その解決課題とするところは、フォークリフトのフォークに対して、運搬されるべき荷物を吊り上げるための吊上げ部材を、簡単に且つ容易に掛けることの出来る、また故障や作業トラブルの少ない、安価な構造のアタッチメントを提供することにあり、また、他の課題とするところは、かかる吊上げ部材をスムーズに収容して、吊上げ部材を効果的に保持することの出来る、構造の簡単なアタッチメントを提供することにある。
【課題を解決するための手段】
【０００７】
そして、本発明は、かくの如き課題の解決のために、フォークリフトのフォークに取り付けられて、運搬されるべき荷物を吊り上げるための吊上げ部材が収容、保持せしめられるアタッチメントにして、（ａ）前記フォークに取り付けられるアタッチメント本体と、（ｂ）該アタッチメント本体に固定されて、該アタッチメント本体との間に前記吊上げ部材の収容空間を形成するように上方に延び出して、水平方向に開口した開口部を形成するカバー部材と、（ｃ）内角が鈍角を呈する形態のＬ字の角部を回動中心として、前記アタッチメント本体に対し、該Ｌ字の位置する平面内において自由に回動可能に取り付けられて、前記カバー部材の開口部を開閉すると共に、前記吊上げ部材の不在下においては該開口部を開放するように回動せしめられている回動部材とを有し、該回動部材のＬ字形状内に前記吊上げ部材が進入せしめられることにより、該回動部材を回動させて、前記カバー部材内に該吊上げ部材を収容、保持せしめ得るように構成したことを特徴とするフォークリフト用アタッチメントを、その要旨とするものである。
【０００８】
なお、かかる本発明に従うフォークリフト用アタッチメントにあっては、有利には、前記回動部材が、前記カバー部材の吊上げ部材収容空間内に位置する作用辺部と、該カバー部材の開口部を閉鎖する閉鎖辺部とをＬ字状に連結して、構成されていると共に、該作用辺部よりも該閉鎖辺部の重さが重くされていることとなる。
【発明の効果】
【０００９】
このような本発明に従うフォークリフト用アタッチメント構造にあっては、運搬されるべき荷物を吊り上げるためのロープに対して、フォークリフトのフォークに取り付けられたアタッチメントが相対的に前進せしめられて、このアタッチメントを構成する回動部材のＬ字形状内に、吊上げ部材が進入せしめられることにより、かかる回動部材は、吊上げ部材からの押圧力を受けて回動させられ、以て、吊上げ部材は、カバー部材内に形成される吊上げ部材収容空間内に収容されて、保持されることとなるところから、アタッチメントに対する吊上げ部材の収容作業が、極めて簡単に且つスムーズに行なわれ得ることとなる。
【００１０】
また、そのようなカバー部材内に形成される吊上げ部材収容空間内に収容された吊上げ部材は、カバー部材の存在により、フォークの一方の側である基部側への移動が阻止されることとなる一方、吊上げ部材進入方向とは逆方向となるフォーク先端側への吊上げ部材の移動には、荷物からの荷重の作用下において、吊上げ部材のアタッチメントに対する摩擦力に加えて、Ｌ字形状の回動部材を回動せしめるための力以上の外力が作用する必要があるところから、吊上げ部材はカバー部材内に形成される吊上げ部材収容空間内に効果的に保持されてなる状態において、荷物をフォークにて吊り上げて、所要の場所へ安定的に運搬することが、可能となるのである。
【００１１】
さらに、かかるアタッチメントのカバー部材内に形成された吊上げ部材収容空間内に収容、保持されている吊上げ部材を取り外す場合にあっては、フォークリフトにて荷物を所要の場所に運搬して、そのフォークによる荷物の吊り上げ状態を解除すれば、アタッチメントに対する荷物の荷重が解消され、その状態下において、吊上げ部材が、前記進入方向とは逆方向の退避する方向に、相対的に移動せしめられることによって、回動部材は吊上げ部材の引出し作用によって容易に回動して、吊上げ部材はカバー部材内の吊上げ部材収容空間から簡単に取り出され得、以てアタッチメントに対する吊上げ部材の係合が、容易に解除され得ることとなるのである。そして、その際、回動部材が、内角が鈍角を呈する形態のＬ字形状とされていることにより、その角部を回動中心として、カバー部材の開口部を開放するように回動せしめられるようになっているところから、回動部材の回動がより一層効果的に行なわれ得て、そのような吊上げ部材の吊上げ部材収容空間内からの脱出が、極めて容易に行なわれ得ることとなるのである。
【００１２】
このように、本発明に従うフォークリフト用アタッチメントにあっては、カバー部材内に形成される吊上げ部材収容空間内への吊上げ部材の収容、保持、そして、それからの吊上げ部材の取外しの作業が、容易に且つスムーズに行なわれ得ることとなるのである。
【００１３】
しかも、本発明に従うフォークリフト用アタッチメントは、従来のフック装置の如く、バネによる付勢力を用いた回動機構やシリンダ作動によるロック機構等の特別の部材や機構を必要とするものではなく、単に、Ｌ字状の回動部材を、その角部を回動中心として、吊上げ部材の進入や退避の動きによって自動的に回動せしめるようになっているところから、バネ部材のヘタリや損傷等による作動不良の問題は、何等、惹起されることがない特徴を有していると共に、シリンダ機構等の作動機構も設置する必要がない等、構造も簡単となり、装置コストも著しく低減せしめ得たのである。
【図面の簡単な説明】
【００１４】
【図１】本発明に従うアタッチメントの一つをフォークリフトのフォークに取り付けてなる状態を示す側面説明図である。
【図２】図１に示されるアタッチメント取付状態の平面説明図である。
【図３】図２に示されるアタッチメントのIII−III断面説明図である。
【図４】図１に示されるアタッチメントに用いられている回動部材を示す説明図であって、（ａ）は、その平面形態図、（ｂ）は、その側面形態図である。
【図５】図１に示されるアタッチメントに対するロープの進入、収容・保持及び退避の形態をそれぞれ示す、図３に対応する断面説明図であって、（ａ）はロープの進入工程、（ｂ）はロープの収容・保持工程、及び（ｃ）はロープの退避工程を、それぞれ示す説明図である。
【図６】本発明に従うフォークリフト用アタッチメントの他の一例を示すものであって、（ａ）はその平面説明図であり、（ｂ）は（ａ）におけるVI−VI断面説明図である。
【発明を実施するための形態】
【００１５】
以下、本発明を更に具体的に明らかにするために、本発明の実施の形態について、図面を参照しつつ、詳細に説明することとする。
【００１６】
先ず、図１及び図２には、本発明に従うフォークリフト用アタッチメントの一例が、フォークリフトのフォークに取り付けられてなる状態において、示されている。そこでは、本発明に従うアタッチメント１０が、フォークリフトのフォーク２の爪部となる水平部４上に取り付けられている。なお、かかるフォーク２の水平部４は、図において左側に先端部が位置するように、配置されており、この水平部４の先端部位の上面に、アタッチメント１０が位置固定に取り付けられているのである。
【００１７】
そして、それら図１及び図２と共に、図３に示される断面説明図から明らかな如く、アタッチメント１０は、アタッチメント本体１２とカバー部材１４とＬ字状の回動部材１６とから、構成されている。また、そこで、アタッチメント本体１２は、所定厚さの平板状の基板１８と、その上に所定間隔を隔てて溶接固定された互いに平行な２本のレール２０，２０とから、一体的に構成されていると共に、それら基板１８及びレール２０，２０の、フォーク２の水平部４の延びる方向の両端部、換言すれば、それらの図において左右方向の両端部が面取りされて、それぞれ同様な程度において傾斜する傾斜面１８ａ及び２０ａが、それぞれ、形成されている。更に、基板１８の２本のレール２０，２０にて挟まれた部位には、所要大きさの矩形の貫通孔１８ｂが形成されて、回動部材１６の収容スペースが確保されるようになっている。なお、このアタッチメント本体１２は、２本のレール２０，２０の固設位置よりも幅方向外側に位置する基板１８部位において、ボルト２２にて、水平部４上に位置固定に取り付けられている。
【００１８】
また、カバー部材１４は、アタッチメント本体１２の２本のレール２０，２０の間隙内に挿入せしめられて、それらレール２０，２０と基板１８にそれぞれ溶接固定された基部２４と、かかる基部２４から、フォーク水平部４の先端側に斜め上方に直線的に延び出す傾斜延出部２６と、更に、この傾斜延出部２６の先端から、水平方向に所定長さ延び出した水平延出部２８とから、一体的に構成されてなるものである。そして、このような形状のカバー部材１４の配設によって、アタッチメント本体１２とカバー部材１４との間には、運搬されるべき荷物を吊り上げるための吊上げ部材としてのロープを収容し得るロープ収容空間３０が形成され、また、このロープ収容空間３０は、水平延出部２８とアタッチメント本体１２との間の開口部を通じて、水平方向に開口せしめられている。なお、このカバー部材１４の傾斜延出部２６と基部２４の上側の面は、２本のレール２０，２０や基板１８の端部に設けられた傾斜面２０ａ，１８ａと同様な角度で傾斜して連設される傾斜面２６ａ，２４ａとされている。これによって、ロープが進入する際、間違って、ロープがカバー部材１４を乗り越えてしまったときに、ロープがカバー部材１４に引っ掛かることなく、容易に引き戻され得るようになっているのである。
【００１９】
さらに、回動部材１６は、図４に、その単体形態において示されるように、カバー部材１４のロープ収容空間３０内に位置せしめられる作用辺部３２と、カバー部材１４の開口部を閉鎖する閉鎖辺部３４とを、ボス部３６を介して、Ｌ字状に一体的に連結してなる形態を呈する鋳物にて構成されていると共に、それら作用辺部３２と閉鎖辺部３４とが為す角度である内角：αが、９０°を越える鈍角を呈する形態のＬ字形状とされている。そして、この回動部材１６は、その円筒状のボス部３６を挿通せしめた軸３８の両端部が、アタッチメント本体１２の２本のレール２０，２０に回動可能に支持されており、これによって、回動部材１６は、そのＬ字の角部を回動中心として、アタッチメント本体１２に対して、そのＬ字の位置する平面内において、換言すれば図３における紙面に平行な面内において、自由に回動可能に取り付けられているのである。また、かかる回動部材１６の閉鎖辺部３４は、ここでは、作用辺部３２よりも長さが長くされて、作用辺部３２よりも重さが重くされており、これによって、図３に示される如く、ロープの不在下においては、閉鎖辺部３４が、カバー部材１４の開口部を開放するように回動せしめられて、閉鎖辺部３４は、アタッチメント本体１２の基板１８に設けられた貫通孔１８ｂ内に入り込んで位置するようになっている。
【００２０】
そして、かくの如き構成のアタッチメント１０を用いて、フレコン等の荷物を所要の場所に運搬するに際しては、例えば、図５（ａ）〜（ｃ）に示される如く、その運搬されるべき荷物を吊り上げるために、かかる荷物から延びるロープ（吊上げ部材）４０が、アタッチメント１０に対して係止され、そして運搬された後に、離脱させられることとなる。即ち、先ず、図５（ａ）に示されるように、ロープ４０に対して、アタッチメント１０が相対的に前進せしめられることにより、ロープ４０は、回動部材１６のＬ字形状内に進入し、そして回動部材１６の作用辺部３２に当接するようになるが、更に前進せしめられることによって、ロープ４０から作用辺部３２に対して押圧力が作用することにより、回動部材１６は、そのＬ字の角部に配された軸３８周りに、図において右方向に回動せしめられることとなる。そして、ロープ４０は、カバー部材１４の水平方向に開口した開口部を通じて、カバー部材１４内に形成されるロープ収容空間３０内に進入せしめられて、（ｂ）に示される如く、収容されるようになるのである。また、このような回動部材１６の回動によって、その閉鎖辺部３４にて、カバー部材１４の開口部が閉鎖せしめられることとなる。
【００２１】
次いで、荷物を所要の場所に運搬するには、かかる（ｂ）の如く、ロープ４０をアタッチメント１０のカバー部材１４内のロープ収容空間内に収容、保持した状態において、荷物が、フォークリフトのフォーク２の水平部４にて吊り上げられ、そしてフォークリフトが移動することによって、目的とする場所まで運搬されることとなるのである。なお、ここで、荷物がフォークリフトのフォーク２にて吊り上げられると、荷物の荷重がロープ４０を介して回動部材１６の作用辺部３２に作用するようになり、これによって、回動部材１６は（ｂ）の状態に安定して維持されることとなり、以て、ロープ４０のロープ収容空間３０内への保持が有利に行なわれ得るのである。
【００２２】
また、かかる荷物の運搬が終了した後に、フォークリフトのフォーク２による荷物の吊り上げが解消されると、回動部材１６の作用辺部３２に対するロープ４０からの荷重の作用が解除され、これによって回動部材１６が回動させられ易くなっているところから、ロープ収容空間３０内からロープ４０が引き出されるように、ロープ４０に対して、アタッチメント１０が後退乃至は退避させられることにより、ロープ４０が回動部材１６の閉鎖辺部３４に接触し、更に、図において左方向へのロープ引出作用と共に、作用辺部３２よりも閉鎖辺部３４が重いことによる、回動部材１６の自動的な左方向への回動作用が加わることに基づいて、（ｃ）に示される如く、ロープ４０はロープ収容空間３０から取り出され、以て、アタッチメント１０に対するロープ４０の係止状態が解消され、回動部材１６は、（ａ）に示される状態にまで回動せしめられて、次のロープ（４０）を受け入れる体勢を取ることとなる。
【００２３】
このように、上記した構成のアタッチメント１０にあっては、運搬されるべき荷物から延びるロープ４０に対して、アタッチメント１０を相対的に前進させて、ロープ４０にて回動部材１６の作用辺部３２を押圧するだけで、カバー部材１４内のロープ収容空間３０内に、かかるロープ４０を容易に案内し、収容、保持することが出来ることとなるのであり、また、そのようなロープ４０の収容、保持された状態下において、荷物が吊り上げられて、ロープ４０から荷物の荷重がアタッチメント１０に作用せしめられると、その荷重は、回動部材１６を図５（ｂ）の状態に効果的に保持せしめて、アタッチメント１０からロープ４０が外れることを効果的に抑制し、以て、その状態において、フォークリフトのフォーク２にて荷物を吊り下げて、目的とする場所に有利に運搬することが出来るのである。
【００２４】
そして、荷物の運搬が終了して、ロープ４０から荷物の荷重が作用するのが解消されると、ロープ４０に対するアタッチメント１０の相対的な後退乃至は退避作動によって、アタッチメント１０における回動部材１６は、その軸３８周りに、図５（ｃ）に示される如く回動せしめられて、ロープ４０のアタッチメント１０に対する係止状態が、極めて簡単に解消され得ることとなるのである。
【００２５】
要するに、かかるアタッチメント１０によるロープ４０に対する係止機構によれば、回動部材１６の回動に、バネ等の特別の付勢手段やシリンダ等の特別の作動機構を何等用いることなく、単に、ロープ４０との接触による押圧作用によって、簡単に且つ容易に、図５（ａ）〜（ｃ）に示される如く、ロープ４０をロープ収容空間３０内に収容、保持し、また、ロープ収容空間３０内から簡単に取り外すことが出来るのであり、従って、バネのヘタリ等の問題も、何等、顧慮する必要がなく、且つ特別の部材や装置を用いることなく、ロープ４０の係止を行なうことが出来るところから、装置コストにおいても著しく安価なものと為すことが出来ることとなったのである。
【００２６】
なお、かかる例示のアタッチメント１０においては、カバー部材１４の傾斜延出部２６や基部２４の上面（側面）が、傾斜面２６ａ，２４ａとされているが、このような傾斜面とすることにより、ロープ４０に対するアタッチメント１０の前進に際し、ロープ４０がカバー部材１４を乗り越えて、アタッチメント１０に間違って掛けられた場合において、かかるロープ４０をアタッチメント１０から引き離す際に、それら傾斜面部２６ａ，２４ａの存在によって、容易に引き離すことが出来るようになっている。
【００２７】
ところで、本発明に従うフォークリフト用アタッチメントは、例示の実施形態に係る具体的な記述によって、何等、限定的に解釈されるものでは決してなく、本発明は、各種の態様において実施され得るものであることが、理解されるべきである。
【００２８】
例えば、例示のアタッチメント１０におけるカバー部材１４としては、例示の形状のものの他、アタッチメント本体１２から上方に延び出して、水平方向に開口した開口部を形成することの出来る、各種の形状が適宜に採用され得るところであって、例えば、図６（ａ）及び（ｂ）に示される如き、円弧形状を呈するカバー部材５０を用いることも、可能である。そこでは、回動部材５２が、作用辺部５４と閉鎖辺部５６とを、ボス部となる円筒状カラー５８に、鈍角のＬ字形態を呈するように溶接固定せしめることによって、構成されている。そして、そのような回動部材５２においては、作用辺部５４の厚さよりも閉鎖辺部５６の厚さの方が厚くされて、閉鎖辺部５６の重さが作用辺部５４よりも重くなるように、構成されているのである。
【００２９】
また、例示のアタッチメント１０等における、回動部材１６，５２を構成する作用辺部３２，５４と閉鎖辺部３４，５６とにより形成されるＬ字形状は、それら回動部材１６，５２のＬ字形状内に、ロープ４０が容易に進入せしめられるようにして、それら回動部材１６，５２の回動を有利に行なわしめる上において、それら作用辺部３２，５４と閉鎖辺部３４，５６とによって形成される内角：αが、９０°を越える鈍角となるように、構成されるものであるが、かかる内角があまりにも大きくなると、カバー部材１４，５０内に収容、位置せしめられたロープ４０が開口部から外れ易くなることに加えて、安全性にも問題を生じる恐れがあるところから、一般に１５０°以下、好ましくは１２０°以下の鈍角が、採用されることとなる。
【００３０】
さらに、荷物を吊り上げるための吊上げ部材にあっても、例示のロープ４０の他、ベルト等の公知の各種の部材が用いられ得るものであり、そして、そのような吊上げ部材は、運搬されるべき荷物から延び出るようにして、取り付けられている。
【００３１】
その他、一々列挙はしないが、本発明は、当業者の知識に基づいて、種々なる変更、修正、改良等を加えた態様において実施され得るものであり、そして、そのような実施の態様が、本発明の趣旨を逸脱しない限りにおいて、何れも、本発明の範疇に属するものであることは、言うまでもないところである。
【符号の説明】
【００３２】
２      フォーク                            ４      水平部
１０    アタッチメント                      １２    アタッチメント本体
１４，５０  カバー部材                      １６，５２  回動部材
１８    基板                                ２０    レール
１８ａ，２０ａ，２４ａ，２６ａ  傾斜面      １８ｂ  貫通孔
２２    ボルト                              ２４    基部
２６    傾斜延出部                          ２８    水平延出部
３０    ロープ収容空間                      ３２，５４  作用辺部
３４，５６  閉鎖辺部                        ３６    ボス部
３８    軸                                  ４０    ロープ
【図１】
2010260673.tif 000003
【図２】
2010260673.tif 000004
【図３】
2010260673.tif 000005
【図４】
2010260673.tif 000006
【図５】
2010260673.tif 000007
【図６】
2010260673.tif 000008